(57)【要約】
【課題】  ユーザが長時間使用しない時、無線ポインティングデバイスの電源を完全に切断し、電池の電力を節約して保護する。
【解決手段】  本考案が提供する無線ポインティングデバイス１００は本体２００および電源スイッチ３００を含む。本体はポインティングモジュール、電池２３０および無線伝達モジュール２２０を有し、ポインティングモジュールの指示信号は無線伝達モジュール２２０により伝達される。電源スイッチ３００は本体の外表面に設置され、電池を制御して電気供給回路の導通および切断を制御する。
【選択図】  図１
0003101434.tif 000002
【実用新案登録請求の範囲】
【請求項１】
電気供給回路を有するとともに電力源と接続される本体と、
前記本体外表面に設置する電源スイッチとを含み、
前記本体がさらにポインティングモジュールと無線伝送モジュールとを有し、前記無線伝送モジュールは、前記ポインティングモジュールの指示信号をコンピュータシステム中へ伝送し、また、前記電気供給回路は、前記ポインティングモジュールおよび前記無線伝送モジュールを作動させる時に必要な電力を提供し、
前記電源スイッチが前記電気供給回路と前記電力源との間の回路の導通および切断を制御することを特徴とする強制的に断電する無線ポインティングデバイス。
【請求項２】
前記電源スイッチは充電装置の押さえ部により押されて開閉することを特徴とする請求項１記載の強制的に断電する無線ポインティングデバイス。
【請求項３】
前記無線ポインティングデバイスが第１位置に位置する時、前記充電装置により充電され、前記無線ポインティングデバイスが第２位置に位置する時、前記電源スイッチは前記押さえ部により押されることを特徴とする請求項２記載の強制的に断電する無線ポインティングデバイス。
【請求項４】
前記第１位置および前記第２位置は、前記無線ポインティングデバイスが充電操作を行う時に同一運動軌跡上に位置することを特徴とする請求項３記載の強制的に断電する無線ポインティングデバイス。
【請求項５】
前記無線ポインティングデバイスが水平直線に移動して前記第１位置および前記第２位置へ入ることを特徴とする請求項４記載の強制的に断電する無線ポインティングデバイス。
【請求項６】
前記無線ポインティングデバイスが直立直線に移動して前記第１位置および前記第２位置へ入ることを特徴とする請求項４記載の強制的に断電する無線ポインティングデバイス。
【請求項７】
前記無線ポインティングデバイスが水平に回転移動して前記第１位置および前記第２位置へ入ることを特徴とする請求項４記載の強制的に断電する無線ポインティングデバイス。
【請求項８】
前記本体上はさらに二つの電極接触を含み、前記電池は充電電池であることを特徴とする請求項１記載の強制的に断電する無線ポインティングデバイス。
【請求項９】
前記電源スイッチは二段式押ボタンであることを特徴とする請求項２記載の強制的に断電する無線ポインティングデバイス。
【請求項１０】
前記電源スイッチは直線状に移動するスライドであることを特徴とする請求項１記載の強制的に断電する無線ポインティングデバイス。
【請求項１１】
前記電力源は電池であることを特徴とする請求項１記載の強制的に断電する無線ポインティングデバイス。
【請求項１２】
前記充電装置はさらに無線受信装置（wireless receiver）あるいは無線送受信装置（wireless transceiver）を含むことを特徴とする請求項２記載の強制的に断電する無線ポインティングデバイス。
【考案の詳細な説明】
【技術分野】
【０００１】
本考案は無線ポインティングデバイスに関し、特に、強制的に断電する無線ポインティングデバイスに関する。
【背景技術】
【０００２】
情報電気製品の発展は軽薄短小以外に、ユーザの使用ニーズを満たすために「無線化」の趨勢となっている。「無線化」は情報伝送と電源供給を新方式により行うこと、つまり無線通信技術および蓄電技術の急速な革新を促すことを示す。
【０００３】
蓄電技術がより小さな体積、より大きい蓄電量がない状況でより長い使用時間を維持するためには、節電技術を開発しなければ蓄電素子の電気供給時間を延長することができない。節電技術の設計理念は主に、ユーザが使用していない時に、中央処理装置（ＣＰＵ）、メモリ制御ユニット（ＭＣＵ）などのエネルギー消耗が高い素子の作動を停止し、ユーザが操作を開始した時に起動させることにより、待機時の電力が節電でき、蓄電池を使用する情報電気製品に同じ電力により比較的長い使用時間を提供することにある。
【０００４】
現在の無線マウスの設計は節電モード（sleeping mode）時でも実際上、電力の出力は維持されており、これは主にウェイクアップ装置（wake-up device）の作動を維持することにより初めて、次にユーザの操作動作が引き起こす環境変化を感知し、無線マウスを完全に起動させるためである。この設計は現在の市場において最も多く、その節電モードの切換えも異なる技術が開発されている。例えば、特許文献１に示されるように、定時に自動的に覚醒検知する方式により、所定時間ごとに覚醒信号を一回出力し、ユーザが操作を行っているかどうかを調べる。特許文献２および特許文献３は振動探知システムを運用し、無線マウス本体に振動が発生すると覚醒信号を発生させ、また、特許文献４は静電気感知方式による。これらの設計に共通する問題は、覚醒装置が節電モードにおいても電力を消耗することにあり、待機時間が長くなると電力が消耗され、電池を交換して初めて使用することができる。そして、これらのデザインは使用上の利便性を追求するためのものであり、外的環境の可変要素が非常に多かった。また感応方式により節電モードを切換える根拠とすることは、覚醒装置の誤作動を発生させ、反対に長い待機時間による電力消耗を発生させた。
【０００５】
充電電池を無線マウスに内蔵させることにより、電力損耗の問題を解決することができるが、節電モードにおいて充電しても覚醒装置が電力を消耗するため、電池はフル充電させることはできず、長い時間、充電状態におかれることから、電池の寿命に悪い影響を与えた。また、節電モードを有さないタイプは、常に電源が入った状態で長時間充電されるために電池寿命を損なった。
【特許文献１】米国特許第５８５４６２１号
【特許文献２】平成１１年特許願第２２４１５８号明細書
【特許文献３】平成１１年特許願第２４２５６０号明細書
【特許文献４】平成１０年特許願第１２４２５０号明細書
【考案の開示】
【考案が解決しようとする課題】
【０００６】
本考案の主な目的は、現在の無線マウスが節電モードでも電力が継続して消耗され、使用する時、反対に電力が不足し、電池の寿命が短くなる問題を解決することにある。
【課題を解決するための手段】
【０００７】
以上、従来技術の問題に鑑み、本考案が提供する無線ポインティングデバイスには本体および電源スイッチが含まれる。本体はポインティングモジュール、電池および無線伝達モジュールを有し、ポインティングモジュールの指示信号は無線伝達モジュールにより伝達される。電源スイッチは本体の外表面に設置され、電池を制御して電気供給回路の導通および切断を制御する。
すなわち、本考案の強制的に断電する無線ポインティングデバイスは、以下に述べる特徴を有する。
１．電気供給回路を有するとともに電力源と接続される本体と、
前記本体外表面に設置する電源スイッチとを含み、
前記本体がさらにポインティングモジュールと無線伝送モジュールとを有し、前記無線伝送モジュールは、前記ポインティングモジュールの指示信号をコンピュータシステム中へ伝送し、また、前記電気供給回路は、前記ポインティングモジュールおよび前記無線伝送モジュールを作動させる時に必要な電力を提供し、
前記電源スイッチが前記電気供給回路と前記電力源との間の回路の導通および切断を制御することを特徴とする。
２．前記電源スイッチは充電装置の押さえ部により押されて開閉することを特徴とする。
３．前記無線ポインティングデバイスが第１位置に位置する時、前記充電装置により充電され、前記無線ポインティングデバイスが第２位置に位置する時、前記電源スイッチは前記押さえ部により押されることを特徴とする。
４．前記第１位置および前記第２位置は、前記無線ポインティングデバイスが充電操作を行う時に同一運動軌跡上に位置することを特徴とする。
５．前記無線ポインティングデバイスが水平直線に移動して前記第１位置および前記第２位置へ入ることを特徴とする。
６．前記無線ポインティングデバイスが直立直線に移動して前記第１位置および前記第２位置へ入ることを特徴とする。
７．前記無線ポインティングデバイスが水平に回転移動して前記第１位置および前記第２位置へ入ることを特徴とする。
８．前記本体上はさらに二つの電極接触を含み、前記電池は充電電池であることを特徴とする。
９．前記電源スイッチは二段式押ボタンであることを特徴とする請求項２記載の強制的に断電する無線ポインティングデバイス。
１０．前記電源スイッチは直線状に移動するスライドであることを特徴とする。
１１．前記電力源は電池であることを特徴とする。
１２．前記充電装置はさらに無線受信装置（wireless receiver）あるいは無線送受信装置（wireless transceiver）を含むことを特徴とする。
【考案の効果】
【０００８】
本考案の効果は、ユーザが長時間使用しない時、無線ポインティングデバイスの電源を完全に切断し、電池の電力を節約して保護することである。
【考案を実施するための最良の形態】
【０００９】
図１のブロック図が示すように、本考案の第１実施例が提供する無線ポインティングデバイス１００は無線光学マウスであり、その主な構造は本体２００中にポインティングモジュール２１０、無線伝送モジュール２２０および電池２３０が設置される。そのうちポインティングモジュール２１０はマイクロプロセッサ２１１、感応器２１２、キイ２１３、非揮発性メモリ２１４および電源制御器２１５からなる。ユーザが操作すると、感応器２１２が移動座標を感知し、ポインティングモジュール２１０は指示信号を発生させ、最後に無線伝送モジュール２２０が各種タイプのコンピュータシステムまたは情報電気製品中へ伝送する。ポインティングモジュール２１０は一個の電力源であり、電気供給回路（図示せず）によりポインティングモジュール２１０、無線伝送モジュール２２０の動作に必要な電力を供給する。強制断電の機能を提供するために、本実施例では本体２００の外表面上に電源スイッチ３００を設置する。そして、この電源スイッチ３００は電池２３０と電気供給回路との間の回路を導通または切断し、無線ポインティングデバイス１００の動作をオンあるいはオフにする。
【００１０】
無線ポインティングデバイス１００が長時間使用されない時、ユーザは電源スイッチ３００を使用して全体の電源を切り、節電の機能を達成する。電源を切った後に発生するかもしれない、例えば無線電波のチャネル設定などの既設定が失われることを防ぐため、非揮発性メモリ２１４により解決方式を提供する。
【００１１】
電源スイッチの開閉方式については、以下、本考案の第２、第３、第４、第５実施例において詳しく説明する。
【００１２】
充電式の無線ポインティングデバイスにより電源スイッチの開閉を行う方法は、充電装置と結合し、充電時の操作動作による。図２Ａおよび図２Ｂに示すように、本考案の第２実施例が提供する無線ポインティングデバイス４１０に充電装置４２０を組合わせ、充電に使用する電極接触４１１を無線ポインティングデバイス４１０の側辺に設け、前端中央には電源スイッチ４１２が設けられる。そして、電源スイッチ４１２は一個で二段式の押ボタンであり、それを押してオンあるいはオフを形成する。充電装置４２０の前側には鉗状且つ二つで相対する定位部４２１が形成され、定位部４２１の末端は充電に使用する電極４２２を有し、充電装置４２０の前側中央には前に突出した一個の押さえ部４２３がある。無線ポインティングデバイス４１０の前端を充電装置４２０の前側へ移動して電極接触４１１と電極４２２を接合すると、充電することができる。充電装置４２０上の電量表示窓４２４が充電終了を表示すると、無線ポインティングデバイス４１０を前に推すことにより、前端の電源スイッチ４１２が押さえ部４２３に押されてスイッチが切られる。
【００１３】
本実施例は無線ポインティングデバイスを充電する際、直線移動の動作により充電装置上の押さえ部を使用し、無線ポインティングデバイスの電源を開閉する目的を達成する。ユーザが無線ポインティングデバイス４１０を長時間使用しない時、ユーザはポインティングデバイス４１０を充電装置４２０中へ直接設置し、電源スイッチ４１２の電源消耗を完全になくす。
【００１４】
続いて、図３Ａおよび図３Ｃに示すように、本考案の第３実施例が提供する無線ポインティングデバイス５１０を充電装置５２０と組合わせる。無線ポインティングデバイス５１０の前後側面は溝槽５１３を有し、前端の両側には充電に使用する電極接触５１１を設け、前端中央には電源スイッチ５１２が設けられ、電源スイッチ５１２は二段式で一個の押ボタンであり、これを押してオンあるいはオフを形成する。充電装置５２０の頂面には円形で一個の設置槽５２１を有し、そこに無線ポインティングデバイス５１０を設置する。設置槽５２１の前後には相対した側面に切口５２４を有し、設置槽５２１の槽縁は内側に延伸しており、無線ポインティングデバイス５１０を入れる際、溝槽５１３をそこに入れて回転させ、その内壁面上には充電に使用する電極５２２および前に突出した押さえ部５２３が設置されている。無線ポインティングデバイス５１０の前後端の溝槽５１３を設置槽５２１の槽縁へ入れて回転移動し、充電する時は電極接触５１１まで回転させて電極５２２と結合して充電を行う。そして電源スイッチ５１２まで回転すると押さえ部５２３により押さえられて、無線ポインティングデバイス５１０の電源を切ることができる。
【００１５】
第２、第３の実施例の共通点をまとめると、充電する時は無線ポインティングデバイスの位置を「第１位置」にし、電源スイッチが押さえ部により押さえられると、無線ポインティングデバイスの位置は「第２位置」となる。無線ポインティングデバイスを充電操作する時は、「第１位置」および「第２位置」がともに同一運動軌跡上に位置する。当然、「第１位置」と「第２位置」の機能は自由に入れ替えることができ、これは実際に運用する時のユーザの必要により決定される。
【００１６】
以下、開示する第４実施例は図４Ａおよび図４Ｂを参照すること。本考案の第４実施例が提供する無線ポインティングデバイス６１０を充電装置６２０と組合わせる。無線ポインティングデバイス６１０下の前端側には嵌槽６１３を有し、後端側には充電に使用する並列に設けられた二個の電極接触６１１があり、無線ポインティングデバイス６１０の末端中央には電源スイッチ６１２が設けられ、電源スイッチ６１２は二段式で一個の押ボタンであり、これを押してオンあるいはオフにする。充電装置６２０は無線ポインティングデバイス６１０を直立に挿入する一個の設置槽６２１を有し、設置槽６２１の内壁面は充電に使用する２個の電極６２２を有し、電極６２２上方には前後に動く一個の定位片６２４が設けられ、設置槽６２１底面上には突起を有する押さえ部６２３が設けられる。充電する時は無線ポインティングデバイス６１０の末端を下向きにして充電装置６２０の設置槽６２１中へ挿入し、下側の嵌槽６１３へ定位片６２４を嵌め入れると継続して下へ移動することはない。この時、電極接触６１１は電極６２２と結合し、上記の充電できる「第１位置」となる。定位片６２４を後へ引っ張り嵌槽６１３から離脱させると、無線ポインティングデバイス６１０はさらに下へ移動して、電源スイッチ６１２が最後に押さえ部６２３により押さえられ、下向きに挿入された無線ポインティングデバイス６１０の方向に沿って、無線ポインティングデバイス６１０の電源を切ることができる「第２位置」へ下向きに移動する。
【００１７】
ここで補充説明が必要なことは、本考案の技術思想は節電モード切換機能を有する無線ポインティングデバイス上にも応用することができ、消費者にユーザの要求に合った選択を提供することである。また、無線ポインティングデバイスの電池は充電式であってもなくても適用することができる。そして充電装置４２０、５２０、６２０も従来の無線受信装置（wireless receiver）または無線送受信装置（wireless transceiver）と結合し、充電装置４２０に複数の使用機能を持たせることができる。
【００１８】
上で述べたことをまとめると、本考案は電源スイッチを有する無線ポインティングデバイスを提供する。その開閉方式を電源スイッチを押ボタン式にして、充電時の操作動作を結合させてついでに完了する以外に、図５に示すように電源スイッチ７１０を直線移動のスライドにし、手動によりスイッチの開閉をおこなう。長時間、無線ポインティングデバイスを使用しない時、電源を切って直接に電力消耗を止め、電池の寿命を保護する。本考案が開示する開閉方式は、ユーザの充電動作過程へ深く入りこみ、人間的で親切な設計である。
【００１９】
以上のごとく、本考案を好適な実施形態により開示したが、もとより、本考案を限定するためのものではなく、同業者であれば容易に理解できるように、本考案の技術思想の範囲において、適当な変更ならびに修正が当然なされうるものであるから、その実用新案権保護の範囲は、請求の範囲および、それと均等な領域を基準として定めなければならない。
【図面の簡単な説明】
【００２０】
【図１】本考案の第１実施例による、無線ポインティングデバイスのシステムを示すブロック図である。
【図２】（Ａ）は本考案の第２実施例による、無線ポインティングデバイスのシステムを示す側面図であり、（Ｂ）は本考案の第２実施例を示す平面図である。
【図３】（Ａ）は本考案の第３実施例を示す平面図であり、（Ｂ）は第３実施例による、無線ポインティングデバイスの正面図であり、（Ｃ）は第３実施例を示す側面図である。
【図４】（Ａ）は本考案の第４実施例による、組合わせを示す斜視図であり、（Ｂ）は本考案の第４実施例を示す無線ポインティングデバイスの底面を示す斜視図である。
【図５】本考案の第５実施例を示す側面図である。
【符号の説明】
【００２１】
１００  無線ポインティングデバイス
２００  本体
２１０  ポインティングモジュール
２１１  マイクロプロセッサ
２１２  感応器
２１３  キイ
２１４  非揮発性メモリ
２１５  電源制御器
２２０  無線伝送モジュール
２３０  電池
３００  電源スイッチ
４１０  無線ポインティングデバイス
４１１  電極接触
４１２  電源スイッチ
４２０  充電装置
４２１  定位部
４２２  電極
４２３  押さえ部
４２４  電量表示窓
５１０  無線ポインティングデバイス
５１１  電極接触
５１２  電源スイッチ
５１３  溝槽
５２０  充電装置
５２１  設置槽
５２２  電極
５２３  押さえ部
５２４  切口
６１０  無線ポインティングデバイス
６１１  電極接触
６１２  電源スイッチ
６１３  嵌槽
６２０  充電装置
６２１  設置槽
６２２  電極
６２３  押さえ部
６２４  定位片
７１０  電源スイッチ
【図１】
0003101434.tif 000003
【図２】
0003101434.tif 000004
【図３】
0003101434.tif 000005
【図４】
0003101434.tif 000006
【図５】
0003101434.tif 000007